(57)【要約】【課題】収納袋が支持脚に確実に支持されるにもかかわらず支持脚から簡単に取り外しが可能とされ、収納袋の清掃が簡単容易となるような収納袋付き作業台を提供すること。【構成】載置台３と、載置台３に設けられている回転軸部７で任意に回転係止可能とされている回転アーム４と、回転軸部７で載置台３を支持する支持脚部５と、回転アーム４に係止される収納袋係留部材１２を備える収納袋とを有している。【選択図】図１
2009006042.tif 000002
【特許請求の範囲】
【請求項１】
作業時に発生する塵埃等を収集可能な収納袋付き作業台において、載置台と、上記載置台に設けられている回転軸部で任意に回転係止可能とされている回転アームと、上記回転軸部で載置台を支持する支持脚部と、上記回転アームに係止される収納袋係留部材を備える収納袋とを有していることを特徴とする収納袋付き作業台。
【請求項２】
作業時に発生する塵埃等を収集可能な収納袋付き作業台において、載置台と、上記載置台に設けられている回転軸部で任意に回転係止可能とされている回転アームと、上記回転軸部で載置台を支持する支持脚部と、側面部に上記支持脚部を避けて内側に凹んだ側面空隙部が設けられている収納袋とを有していることを特徴とする収納袋付き作業台。
【請求項３】
作業時に発生する塵埃等を収集可能な収納袋付き作業台において、載置台と、上記載置台に設けられている回転軸部で任意に回転係止可能とされている回転アームと、上記回転軸部で載置台を支持する支持脚部と、側面部の中央部が両端部に比べ幅狭となる収納袋とを有していることを特徴とする収納袋付き作業台。
【請求項４】
前記収納袋のコーナー部分が角形形状に保持されるための縫い目部が上端より下方に向けて設けられ、前記側面部の前記載置台の位置に相当する部位に切り欠き部が設けられ、上記切り欠き部には前記載置台の水平腕部の外側端部が挿通されるととともに、巻き付け部材が上記切り欠き部を橋渡しするように設けられて前記収納袋を前記載置台に係留し、上記巻き付け部材より外側に設けられている切り欠き部補強部材は前記回転アームの外側側面で横方向直線状に橋渡しされるように設けられて上記切り欠き部を橋渡しするように構成されていることを特徴とする請求項１、２または３記載の収納袋付き作業台。
【発明の詳細な説明】
【技術分野】
【０００１】
本発明は、収納袋付き作業台に関し、特にスポーツ用具等の手入れ時に発生する塵埃等を飛散させることなく収集するのに好適なものである。
【背景技術】
【０００２】
本出願人が、すでにＰＣＴで出願し、その後国際公開されている特許文献１に記載されている発明に関連するもので、特許文献１に記載されている発明の実施の形態を更に発展をさせているものである。
【０００３】
特許文献１記載の作業台は、収納袋の底部に収納袋固定リングを設け、この収納袋固定リングの中空部分に支持脚を通過させ、収納袋を固定させている。そして、この作業台を用いて作業を行うに際して、発生する塵埃等が飛散するのを防止している。
【特許文献１】ＷＯ２００６／１１２１１８Ａ１号公報
【発明の開示】
【発明が解決しようとする課題】
【０００４】
しかしながら、本発明者は上記の発明に加えて更に鋭意研究を重ねるなかで、収納袋固定リングを使用すると、作業台が製造しづらいこと、またこの作業台を用いて作業を行うユーザーたる作業者にとって、扱い難くなる状況が発生することを見いだした。
【０００５】
本発明は、収納袋固定リングが使用されることがなくても集塵効果を低下させることなく、収納袋を支持脚部から簡単に取り外しが可能とされ、収納袋の清掃が簡単容易となるような収納袋付き作業台を提供することを目的としている。
【課題を解決するための手段】
【０００６】
本発明の収納袋付き作業台は、作業時に発生する塵埃等を収集可能な収納袋付き作業台において、載置台と、載置台に設けられている回転軸部で任意に回転係止可能とされている回転アームと、回転軸部で載置台を支持する支持脚部と、回転アームに係止される収納袋係留部材を備える収納袋とを有している
【０００７】
このような構成にすることにより、収納袋係留部材の係留を解除するだけで、収納袋を支持脚部や回転アームから取り外すことが可能となるので、収納袋の掃除が簡単になるとともに、作業終了後の片付けが簡単になり、取り扱いが容易となる。
【０００８】
本発明の収納袋付き作業台は、作業時に発生する塵埃等を収集可能な収納袋付き作業台において、載置台と、載置台に設けられている回転軸部で任意に回転係止可能とされている回転アームと、回転軸部で載置台を支持する支持脚部と、側面部に支持脚部を避けて内側に凹んだ側面空隙部が設けられている収納袋とを有している。
【０００９】
このような構成にすると、収納袋の取り付け、取り外しが簡単になり、収納袋の掃除が容易となる。また底部には、余分の穴があけられることがないので、ゴミが底部から落ちたり、飛散したりすることを防止できる。
【００１０】
本発明の収納袋付き作業台は、作業時に発生する塵埃等を収集可能な収納袋付き作業台において、載置台と、載置台に設けられている回転軸部で任意に回転係止可能とされている回転アームと、回転軸部で載置台を支持する支持脚部と、側面部の中央部が両端部に比べ幅狭となる収納袋とを有している。
【００１１】
このような構成にすると、収納袋の取り付け、取り外しが簡単になり、収納袋の掃除が容易となる。また底部には、余分の穴があけられることがないので、ゴミが底部から落ちたり、飛散したりすることを防止できる。
【００１２】
本発明の収納袋付き作業台は、収納袋のコーナー部分が角形形状に保持されるための縫い目部が上端より下方に向けて設けられ、側面部の載置台の位置に相当する部位に切り欠き部が設けられ、切り欠き部には載置台の水平腕部の外側端部が挿通されるととともに、巻き付け部材が切り欠き部を橋渡しするように設けられて収納袋を載置台に係留し、巻き付け部材より外側に設けられている切り欠き部補強部材は回転アームの外側側面で横方向直線状に橋渡しされるように設けられて切り欠き部を橋渡しするように構成されている。
【００１３】
このように構成すると、収納袋を１枚の布状のもので簡単に作ることができとともに、中央部の周辺では、収納袋の底辺が急勾配となるので収納袋内に散らばった作業滓やゴミなどであっても収集し易くなる。
【発明の効果】
【００１４】
本発明によれば、収納袋固定リングが使用されることがなくても集塵効果を低下させることなく、収納袋を支持脚部から簡単に取り外しが可能とされ、収納袋の清掃が簡単容易となる。
【発明を実施するための最良の形態】
【００１５】
本発明の実施の形態について、以下図を参照しながら説明する。
【００１６】
図１は、本発明のワックス塗布作業台としての作業台１００を示す斜視図である。作業台１００は、収納袋１と、収納袋１の底部１ａに設けられた収納容器部２と、スノーボード等を載せる載置台３と、収納袋１を収納袋係留部材１２で支持する回転アーム４と、載置台３を所定の高さに保持する支持脚部５と、支持脚部５の開閉の中心となる脚開閉軸部６と、回転アーム４の回転中心となる回転軸部７と、支持脚部５の開きすぎを防止する過剰開脚防止具８と、支持脚部５の他方の端部すなわち接地側に設けられている接地台座９と、接地台座９と連結して設けられる位置調節部１０とから主に構成されている。
【００１７】
作業台１００は、図示を省略してあるが例えばスキー板あるいはスノーボード板（以下「被処理材」という）が複数の水平腕部３ａに橋渡しするように平行に置かれるか、複数の凹部３ａ１に橋渡しするように縦の状態で挿入されるようになっている。スキー板やスノーボード板のように滑走面を有する被処理材には、滑走面とブレーキ機能を有するエッジ部分とがあり、それぞれワックス塗布やエッジ立てなどの処理が行われる。例えば、被処理材を複数の水平腕部３ａに橋渡しするように置き、その滑走面にワックス等をスプレーまたは刷毛等で塗布する。その塗布面は、必要とする平滑面とはなりにくいことから、ブラシやスクレイパーあるいは水平で平滑な端面を有する板状の樹脂板または金属板（図示せず）で削りとって平滑にされる。また、上述したように縦に置かれた場合は、例えば被処理材のエッジ部分に設けられている金属製のエッジ部材（図示せず）が砥石で磨かれたりする。
【００１８】
作業台１００の主要な部分をなす収納袋１は、底部１ａのほぼ中央部に収納容器部２を有している。また、側面部１ｂには、支持脚部５の上方の端部が載置台３の端部に設けられている回転軸部７に軸支されるときに、収納袋１を変形させたりしないように側面空隙部１ｃ（図２（Ａ）参照）が設けられている。この側面空隙部１ｃは、収納袋１の側面部１ｂの上部から下部にかけて、断面コの字形の凹部形状とされていて、この側面空隙部１ｃすなわち凹部内を支持脚部５の支持脚５ａが通過するようになっている。なお、側面空隙部１ｃをコの字形の凹形状として図示してあるが、支持脚５ａがスムーズに挿通されれば良いので、断面円形状の凹部としたり、多角形状の凹部等にしたりしても良い。
【００１９】
収納袋１は、収納袋１は、図１で上方が開口された袋形状とされている。また、収納袋１は、樹脂製とされているが、布製としても良い。収納袋１は、回転アーム４と水平腕部３ａの回転軸部７側の端部とに複数の収納袋係留部材１２が巻き付け可能となるように設けられ、これにより作業台１００に係留される。すなわち、この収納袋係留部材１２は、図２で示すように例えば短冊形状とされており、一方の端部は収納袋１の上端部に固着されている。収納袋係留部材１２の他方の端部には収納袋１の内面（外面であっても良い）に設けられている側面係留部材１２ａと合体可能な巻き付け側係留部材１２ｂとが設置されており、両者が回転アーム４等を挟み込んで合体することで収納袋１を係留する。なお、この側面係留部材１２ａと巻き付け側係留部材１２ｂとは必要に応じ両者の係合状態を非係合状態とするようにされている。すなわち、収納袋１は、回転アーム４等に脱着可能とされている。なお、この収納袋係留部材１２は、ファスナーやマジックテープ（登録商標）が扱いやすさから好ましい。また、紐状のものを用いて結びつけるようにして係留することも可能である。さらに、収納袋１の底部１ｂや側面部１ｃに種々な模様をつけて美的外観を向上させることも可能である。
【００２０】
収納容器部２は、底有りの円筒形状とされ、金属製とされているが、角筒形等、他の形状としたり、樹脂製、布製など他の材質としたりしても良い。収納容器部２は、収納袋１の底部１ａの中央付近に設けるのが好ましいが、被処理材の種類や形状によっては長手方向のいずれかの端部側や短手側等必要な位置に移動したりしても良い。収納容器部２は、底部１ａに設けられた円形孔が収納容器部２の開口部となるように設置されている。このようすることで、収納袋１の底部１ａに集まってきたゴミ等が自動的に収納容器部２に収集されることとなる。なお、収納容器部２は、角形にしたり、楕円形などにしたりしても良い。
【００２１】
また、図示しないが、収納容器部２は、取り付け、取り外しが可能とされている。さらに、底部１ａ側の開口部分には、底部１ａの面から突出しないように、取り付け、取り外し可能な内蓋が設けられている。したがって、収納容器部２を掃除のために取り外しても、収納袋１内のゴミ等の漏出防止が可能とされる。収納容器部２は、変形しにくい金属またはプラスチックスなどの受け皿状のものとしたり、変形しやすい布やプラスチックスの袋状のものを用いたりすることもできる。さらに、変形しやすい布やプラスチックスの筒状のものは、収納容器部２の下部側の端部の部分が紐やマジックテープ（登録商標）などで束ねられ、下部側の端部の開口部分が閉じられた状態とされる。あるいは、下部側の端部の部分が押しつぶされて平面状にされた後、一重または二重に折り畳まれる。その折り畳まれた部分は、脱着部材（図示せず）例えばマジックテープ（登録商標）などで係止され、同様に底部の開口部分が閉じられた状態とされる。この結果、集められたゴミ等が収納容器部２の開口部分より、漏れたり飛散したりすることが起こらないようにされる。ゴミ等を取り出すには、束ねあるいは折曲げが解除されれば下部側の端部が開口することにより達成される。なお、収納容器２にフックをつけて、簡単な工具や予備のゴミ袋などを引っ掛けることができるようにしても良い。
【００２２】
載置台３は、ステンレスなどの金属材で形成されている。水平腕部３ａと挿入保持部３ｂとでＬ字形状に構成されていた４つのＬ字形状部品を主な構成部品として形成されている。水平腕部３ａの側面部１ｂ側の端部は細径の回転軸部７とされている。この回転軸部７は、支持脚部５の上方端部を軸支する。また、回転アーム４と連結して回転アーム４を任意に回転、係止可能とする市販のフリーストップヒンジ７ａ（図７参照）が上述の支持脚部５の上方端部と重なるようにして配設、軸支されている。また、水平腕部３ａの他方端部は下方に折れ曲がってＬ字形となり、折れ曲がった先は挿入保持部３ｂとされている。このような４つのＬ字形部品からなる載置台３は、個々のＬ字形部品が一対の支持脚５より収納袋１の内側に向かって配置されることで構成される。なお、挿入保持部３ｂが相対するように設けられて凹部３ａ１が形成されている。
【００２３】
また、この挿入保持部３ｂの先端側には、被処理材が挿入されたときの挿入位置を規制するために、橋渡しするように凹部係止具３ａ２が設けられている。この凹部係止具３ａ２は、挿入保持部３ｂに設けられている複数の挿入穴３ａ４のいずれかを選択され、挿入、ネジ止めされることで、被処理材の挿入度合、すなわち被処理材をどのくらいまで深く挿入するかについての位置規制を行うことができる。なお、回転軸部７には、内側より順に支持脚部５すなわち支持脚５ａの端部、その外側に回転アーム４の端部というように配置しているが、回転アーム４の端部、支持脚５ａの端部の順で配置するにしても良い。なお、回転アーム４の端部を支持脚５ａの端部の内側としフリーストップヒンジ（図７参照）で軸支するように構成した場合は、回転アーム４の形状は、収納袋１の中心部から外側に向かって「凸」字を逆さまにしたような形状とするのが好ましい。
【００２４】
回転アーム４は、ステンレス製などの金属材で構成され、軽量化を目的として筒状とされている。回転アーム４は、延滞形状が「コ」の字とされ、１つの作業台１００に２個配置される。しかし、一方のみを回転アーム４として、他方を固定のアームとしても良い。各回転アーム４の両端には、回転軸部７が側方から挿入され、回転アーム４は、回転軸部７を中心として回動することができる。
【００２５】
支持脚部５は、２本のステンレス製の支持脚５ａが脚開閉軸部６を中心にＸ字形状に組み合わせられたものが２組で構成されている。このような構造としたのは、作りやすさからであって、開閉が可能であれば、公知の他の構造を用いることができる。上述したように、支持脚５ａの上方端部は水平腕部３ａに軸支され、他方の下端部は、位置調節部１０とされている。また、脚開閉軸部６の下方の位置、すなわち脚開閉軸部６で開閉可能に軸支され対となっている支持脚５ａ間に過剰開脚防止具８が設けられ、止め具８ａで取り付け、取り外しが可能とされ、橋渡しするようにしてＸ字形状の開脚具合の規制を可能とされている。なお、過剰開脚防止具８を脚開閉軸部６の下方に設けるように図示してあるが、脚開閉軸部６の上方の支持脚５ａ間に橋渡しするように設けても良い。
【００２６】
脚開閉軸部６は、２つ配置され、各脚開閉軸部６は上述のように、２本の支持脚５ａを一体化されるものとなっている。回転軸部７は、水平腕部３ａの端部に水平腕部３ａと一体的に設けられている部分であり、水平腕部３ａの被処理材が置かれる部分より細径とされている。脚開閉軸部６と回転軸部７は、ともに筒状ではなく、充実部材としてあるが水平腕部３ａのように、筒状としても良い。
【００２７】
過剰開脚防止具８も２つ配置され、各過剰開脚防止具８は一端が１対の支持脚５ａに固定され、他端が一対の支持脚５ａの他方に設けられてある止め具８ａに取り付け、取り外し可能とされている。
【００２８】
位置調節部１０は、作業台１００を安定して設置するための設置台座９と、設置台座９と連結していて支持脚５ａの端部より支持脚５ａ内に挿入される位置調節挿入部材１０ａと、止めネジ部１１とを有する。止めネジ部１１は、支持脚５の下方端部に設けられている設置台座９と当接しても接地台座９を痛めることなく、挿入度合い安定させる位置調節ストッパー１１ａと、位置調節挿入部材１０ａと支持脚５を固定するために、例えば棒ネジ（図示せず）が挿入される穴であって、作業台１００の高さを調整が可能となる止めネジ穴１１ｂとを有する構成とされている。なお、接地台座９を角板状で図示してあるが、円板形状としたり、棒状としたり、支持脚５ａより幅広であれば形状にはこだわらない。同様に、位置調節ストッパー１１ａも、円板形状で図示してあるが支持脚５より幅広の部分があれば形状にはこだわらない。
【００２９】
次に図２、図３および図４を用いて、収納袋１並びに第１の変形例としての収納袋１Ａおよび収納袋１Ｂについて詳しく説明する。
【００３０】
図２は、収納袋１の構成を分かりやすくするために図１で示した収納袋１が取り出されたものである。上述したように側面空隙部１ｃは、それぞれの両側の側面部１ｂにＶ字形状の対になって設けられている。この側面空隙部１ｃを支持脚５ａが、収納され、通過可能とされている。収納袋１の上部の４つの縁（角形の辺に相当する部分で収納袋１の開口を囲む部分）は、側面空隙部１ｃの一部を除いてそれぞれほぼ一直線となるように構成されている。このようにすると収納袋１の開口面積をより大きくすることができる。この収納袋１は、縁の部分に設けられている収納袋係留部材１２で回転アーム４を包み込むようにすることで、回転アーム４にも係留され、また側面空隙部１ｃの上部の縁で、収納袋１の側面部１ｂの縁に対して垂直方向となるように設けられている収納袋係留部材１２の空隙部巻き付け部材１ｃ１と空隙部係留部材１ｃ２とで載置台３の端部に巻き付けられて係留、支持される。なお、図示しないが収納袋係留部材１２を２つに割った形状とし、２つに分けたそれぞれの収納袋係留部材１２同士を合体させて係留させるようにしても良い。
【００３１】
上述したように、収納袋１の上部の縁付近には、複数の収納袋係留部材１２が設けられ、収納袋１は、側面係留部材１２ａと巻き付け側係留部材１２ｂとで回転アーム４に、また水平腕部３ａの端部には、空隙部巻き付け部材１ｃ１と空隙部係留部材１ｃ２とで取り付け、取り外し可能されている。この脱着に用いる収納袋係留部材１２としては、例えば、マジックテープ（登録商標）あるいはボタンやフックさらには紐などを用いることができる。なお、側面空隙部１ｃの底部１ａ側に空隙部巻き付け部材１ｃ１および空隙部係留部材１ｃ２を、凹部をまたがるように配置して、側面空隙部１ｃの下方にも支持脚５と底部１ａとがよりずれないように、上述した収納袋係留部材１２を設けて固定しても良い。なお、収納袋係留部材１２は、外側から収納袋１の内側に向けて折り曲げられるようにして、収納袋１を係留するようにされているが、内側から外側に折り曲げられて係留されるように構成しても良い。なお、収納袋係留部材１２を外側から内側に折り曲げるようにするか、内側から外側に折り曲げるようにするかは、収納袋１の開口面積を若干なりとも大きくした方が良いか、あるいは収納袋１の取り付け取り外しの行い易さのどちらが良いかから選択して決めれば良い。
【００３２】
図３は、他の形態の収納袋１Ａを示す図である。図２の収納袋１とこの収納袋１Ａが異なるのは、側面空隙部１ｃ３の形状である。この側面空隙部１ｃ３は、側面部１ｂに設けられ、支持脚部５のＸ字形の上部側の支持脚５との間では、側面形状がＶ字形で凹部形状とされている。Ｖ字形の内部、すなわち収納袋１の１つの側面部１ｂの２つの側面空隙部１ｃの間の中央部分が押し込まれた平面形状となっている。このような形状とすることによって、収納袋１Ａを作りやすくすることができ、作業台１００の組立、分解収納も簡単となる。
【００３３】
図４は、収納袋１Ａの変形例となる収納袋１Ｂを示している。この収納袋１Ｂは、それぞれの側面部１ｂ側に角形状の凹部とされた側面空隙部１ｃ４が設けられている。このように構成することにより、支持脚部５の開脚度合いが収納袋１Ｂによって規制されることが極めて少なくなるとともに、収納袋１Ｂが作りやすくなる。また、支持脚部５の先端形状の設計自由度が高まる。
【００３４】
図５は、さらに他の形態に係る収納袋１Ｃを示す図である。
【００３５】
図５（Ａ）は、収納袋１Ｃを示す斜視図で、分かりやすくするために回転アーム４や水平腕部３ａ等は図示されておらず、収納袋１Ｃのみが示されている。また、説明を分かりやすくするために、左側半分の収納袋係留部材１２は回転アーム４に組み付けたときの形状とし、右側半分の収納袋係留部材１２は組み付け前の開放されている状態として示されている。この収納袋１Ｃが収納袋１，１Ａ、１Ｂと異なっているのは、矢示Ｙとは直交する長手方向の側面からみて収納袋１Ｃの両端部側にそれぞれ設けられているカバー１ｇと、カバー１ｇとに連結して端部に設けられている折り返し部１ｅと、側面部１ｂの上端部に載置台３の端部が挿通するように設けられている側面切り欠き部１ｆと、収納袋１Ｃが角形形状に保たれるようにするために、四隅にそれぞれ底部１ａに向けて部分的に縫われている縫い目部１ｄとが設けられている点である。なお、図５（Ｂ）、（Ｃ）、（Ｄ）、（Ｅ）も分かりやすくするために、載置台３や支持脚部５等の図示を省略してある。収納袋１Ｃが組み付けられると、後述図示するように収納袋１Ｃの中央部分の側面部１ｂは、内側に引っ張られることにより凹んだ形状となる。
【００３６】
切り欠き部１ｆには、載置台３の水平腕部３ａの端部が挿入される。この切り欠き部１ｆを設け挿通させることにより、図５（Ｄ）で示すように水平腕部３ａの下部に収納袋１Ｃの全くない部分が露出されてくる。この結果、水平腕部３ａの端部に回転アーム４や支持脚部５の端部を軸支させることが可能となる。したがって、支持脚部５は収納袋１Ｃの側面部１ｂの外側に配置されることとなる。
【００３７】
また、切り欠き部１ｆの底部側の収納袋１Ｃの内側には、巻き付け部材１２ｃが水平腕部３ａの上面を橋渡し可能な長さに設けられている。すなわち、収納袋１Ｃは、巻き付け部材１２ｃの端部側に設けられている脱着部材１２ｃ１と側面部１ｂ側に設けられている脱着部材１２ｃ１（例えばマジックテープ（登録商標）など）同士が合体することにより、載置台３の水平腕部３ａに係留される。この結果、巻き付け部材１２ｃは、水平腕部３ａの上面を覆うことにもなる。よって、水平腕部３ａの上面側の露出は解消されて、水平腕部３ａへの削り滓等のゴミの付着を防止する。なお、水平腕部３ａの下面側は露出しており回転アーム４や支持脚部５を軸支することが可能とされている。なお、この巻き付け部材１２ｃには、内面側全部に脱着部材１２ｃ１を設けることにより、巻き付け部材１２ｃは、底部１ａ側の脱着部材１２ｃ１および水平腕部３ａの防庇材３ａ３（後述図示）の両方に張り付けられて、収納袋１Ｃを係留させることも可能である。
【００３８】
側面部１ｂの外側上端すなわち巻き付け部材１２ｃより端部側で端部に沿った位置に、切り欠き補強部材１２ｄが切り欠き部１ｆを橋渡し可能な長さをもって配置されている。これが設けられることにより、切り欠き部１ｆが切り欠き補強部材１２ｄで連結されて、切り欠き部１ｆの切り欠き端部同士がつながることとなり、収納袋１Ｃの上端部のたるみを防止するとともに、切り欠き部１ｆに引き裂く力が加わっても破損するのを防ぐことができる。さらに、側面部１ｂ側に載置台３の端部、いいかえると回転軸部７の端部が露出するのを防ぎ、載置台３の端部で作業者の衣服等が破損されることを防止できる。
【００３９】
図５（Ｂ）は、図５（Ａ）のＸ−Ｘ’で切断したときの様子の断面を示す図である。ただし、図５（Ａ）とは回転アーム４や載置台３に取り付けた状態として図示してある。巻き付け部材１２ｃが、切り欠き部１ｆおよび水平腕部３ａを覆うようにして橋渡しされると、収納袋１Ｃは部分的に持ち上げられるようなる。このため、側面部１ｂが内側に引っ張られることとなり、側面部１ｂすなわち台形状の側面に相当する面が内側に凹んだ状態とされる。図５（Ｃ）は、収納袋１ＣをＹで矢示してある方向からみた側面図である。側面部１ｂは、端部側（実線部分）では、点線で示してあるＸ−Ｘ’における側面部１ｂより幅広とされており、中央部側に行くにしたがい幅が狭くなる。したがって、この収納袋１Ｃは、底部１ａが一枚の布状を呈しており、縫い目部１ｄと切り欠き部１ｆ以外は何ら加工する必要がない極めて簡単な構造とされている。
【００４０】
図５（Ｄ）は、上述の巻き付け部材１２ｃに加えて、切り欠き補強部材１２ｄが組み付けられたときの様子を説明するための斜視図である。側面部１ｂの端部断面は、Ｌ字形状を呈しており、Ｌ字形状の縦となっている部分に切り欠き補強部材１２ｄが配置されることとなる。切り欠き補強部材１２ｄは、切り欠き部１ｆを橋渡しして例えばマジックテープ（登録商標）のような係留部材１２ｄで脱着可能に留められている。Ｌ字形状の水平部分は、載置台３に取り付けられることで上方に引っ張られ、水平となった側面部１ｂの部分である。Ｌ字形の水平部分には、巻き付け部材１２ｃが配置され、巻き付け部材１２ｃより内側に行くにしたがい点線で示されているように垂れ下がるようになっている。
【００４１】
このような構成にすると、支持脚部５を変更しなくても回転アーム４の形状を、例えば載置台３側の端部を内側に折り曲げるようにした「凸」字形状として回転アーム４の幅を載置台３の幅よりさらに広げても、切り欠き部１ｆの切り込み深さを変えることにより、載置台３の端部に軸支させることができる。すなわち、収納袋１Ｃの幅を容易に広げることが可能となり、作業のできる面積を広げたものとすることができる。なお、切り欠き部１ｆと巻き付け部材１２ｃとで円形に示されているが、これは水平腕部３ａの形状を円柱状としたものの表示であって、載置台３すなわち水平腕部３ａの（断面）形状によって、角形となったり楕円形あるいは半月形となったりするものである。
【００４２】
カバー１ｇは、収納袋１Ｃの長手方向（矢示Ｙの直角方向）から見て両端部に設けられている。両端部のそれぞれのカバー１ｇは、収納袋１Ｃの上面開口部分の半分ずつを蓋をすることが可能となるような長さを有するものとされている。したがって、作業の一時中断時には、カバー１ｇによって上面開口部分に対し蓋をすることにより、削り滓等のゴミの飛散を防止できる。また、作業終了時には蓋をしたまま折り畳むと、そのまま作業台１００を持ち運んでも削り滓等のゴミを飛散させる恐れがなくなる。折り返し部１ｅは、図５（Ｅ）の部分斜視図で示すように、収納袋１Ｃの長手方向の側面からみて、端部側から収納袋１Ｃの内側（開口側）に向けて、回転アーム４を覆う程度に折り返されている。さらに、折り返し部１ｅの内側の端部（収納袋１Ｃの開口側の端部）は、カバー１ｇと連結されている。折り返し部１ｅは、折り返し部１ｅの内面側（収納袋１Ｃの開口面側）に設けられた脱着部材１ｅ１で収納袋１Ｃの端部上端に固定される。なお、脱着部材１ｅ１は、収納袋１Ｃ側に設けても良いし、折り返し部１ｅ側および収納袋１Ｃ側と折り返し部１ｅ側の両方に設けるようにしても良いし、あるいは縫いつけても良い。このようにすると、この折り返し部１ｅがストッパーの役割を果たし、削り滓等のゴミの飛散を防止することができる。
【００４３】
カバー１ｇと折り返し部１ｅとは、一枚の布状とされ、カバー１ｇの一方の端部が折り返されて折り返し部１ｅとされている。また、このカバー１ｇは、回転アーム４の幅よりやや大きな幅を有するものが好ましい。すなわち、カバー１ｇが広げられて収納袋１Ｃに蓋をされたとき、削り滓のゴミなどを漏れにくくすることができる。しかし、カバー１ｇを回転アーム４に係止する部材（例えばファスナー）によっては、回転アーム４の幅に対して、ぴったりとした寸法とした方が良い場合もある。このように構成すると、一枚の布状の部材のみで製作することができるので、製作がしやすく、また構造も簡単となる。また、カバー１ｇと収納袋１Ｃとを一緒に取り付け取り外しが可能とされることとなる。したがって、作業をするための組立や、作業終了後の片付けがしやすくなる。また、カバー１ｇと折り返し部１ｅとが、収納袋１Ｃより取り外し可能とされることにより、作業台１００をカバー１ｇの設けられていた方向（左右）に傾けることにより、収納袋１Ｃを取り外さなくても、収納袋１Ｃの内部を掃除することも可能となる。
【００４４】
カバー１ｇは、作業台１００の両端部よりそれぞれ垂れ下がりが可能とされている。この垂れ下がった先の、カバー１ｇの回転アーム４側の辺を除く三辺側でかつ収納袋１Ｃの開口面に向かい合う面側に、それぞれ少なくとも一つ（図５（Ａ）では２つ）の側面係留部材１２ａが設けられている。回転アーム４の三辺側の収納袋１Ｃの側面１ｂ側で、カバー１ｇの各辺に対応する部位にも、収納袋１Ｃ側の側面係留部材１２ａと合体可能に側面係留部材１２ａが設けられている。これにより、カバー１ｇの両脇側の側面係留部材１２ａと、収納袋１ｃ側の側面係留部材１２ａとが合体されて、カバー１ｇの蓋がされた状態が維持されることとなる。また、作業時には、作業台１００の長手方向の端部となる回転アーム４の「コ」の字状の底辺側両端部の上面に設けられた側面係留部材１２ａと、収納袋１Ｃの底辺側両端部に設けられた側面係留部材１２ａとが合体して係留され、開口が維持される。
【００４５】
さらに、折り返し部１ｅは、変形しにくい板状のとし、カバー１ｇとは別部材として作業台１００の両端部に取り付け取り外し可能に配設し、この板状の折り返し部１ｅにカバー１ｇを係留させるようにしても良い。さらに、折り返し部１ｅとカバー１ｇは、収納袋１Ｃと一体化し、収納袋１Ｃの底部１ａが延長されたものとしても良い。このようにすると、収納袋１Ｃと、折り返し部１ｅとカバー１ｇとは、一枚の布で一体に製作することができる。なお、図示してないが、側面係留部材１２ａを、カバー１ｇと収納袋１Ｃの底部１ａの外側の両方に設けるようにして、カバー１ｇを係留するようにしても良い。折り返し部１ｅの下方（収納袋１Ｃの内側）には、収納袋係留部材１２が複数設けられていて、これが回転アーム４に巻き付けられることにより、収納袋１Ｃが回転アーム４に係留される。
【００４６】
図６は、さらに他の形態に係る収納袋１Ｄを示す図で、この収納袋１Ｄが収納袋１，１Ａ，１Ｂ、１Ｃと異なるのは、収納袋１Ｄが回転アーム４の収納袋１Ｄの長手方向の端部で係留されていて、回転アーム４の側面側は収納袋１Ｄの係留には関わりのないようにされている点である。すなわち、図６（Ａ）の平面図で示すように、収納袋１Ｄの側面部１ｂと長手方向に沿う回転アーム４との間には、隙間１ｈが生じている。底面部１ａの形状は、図６（Ｂ）で示すように。船底形となっていて、側面形状は半月形状とされている。したがって、収納袋１Ｃの切り欠き部１ｆと同じ構成だけが収納袋１Ｄの側面部１ｂに設けられればよい。なお、この収納袋１Ｄを用いた作業台１００を使用するに当たっては、そのまま使っても良いし、隙間１ｈをなくすように上から別に用意した布等で覆って用いれば良い。
【００４７】
さらに、図１では、載置台３と支持脚部５は、挿入保持部３ｂが底部１ａに向けて垂直方向を向いているようにされており、したがって支持脚部５を開脚したときは、側面方向からみると交錯するようになっている。しかし、図７（Ｂ）では、挿入保持部３ｂは、支持脚部５と平行となるようにされているため図示を省略してある。このような構成にすると、支持脚部５をたたんだときに載置台３が出っ張ることなくコンパクトにすることが可能となる。なお、図１においても、載置台３を公知の方法で回転、係止させるようにして、平行となるようにすることも可能である。また、凹部係止具３ａ２が挿入されていない上方の挿入穴３ａ４にアジャスター（万力）を取り付け、そのアジャスターで被処理材を一方向から押しつけるようにすることにより、その反対側が載置台挿入保持部３ｂに当接、押圧されることにより、被処理材を固定して作業時のがたつきを防止するようにすることも可能となる。
【００４８】
なお、図示しないが、収納袋１，１Ａ，１Ｂ，１Ｃ，１Ｄのいずれかと回転アーム４とフリーストップヒンジ７ａとが一体化されている部分を取り出して、例えば縁台、机、あるいはワクシングテーブルなどの両端部に軸支させて用いることもできる。また、脚立や踏み台を１台に、あるいは対に並べた２台の端部に、上述の収納袋１，１Ａ，１Ｂ，１Ｃ，１Ｄのいずれかと回転アーム４とフリーストップヒンジ７ａとが一体化されている部分を同様に軸支させ、作業台１００として用いることも可能である。
【００４９】
図７は、作業台１００の収納袋１、１Ａ、１Ｂ、１Ｃ、１Ｄをとり除いた作業台１００の骨格となる部分を例示する図であって、支持脚部は位置調節部１０の接地台座９および位置調節ストッパー１１ａなどが省略された他の例の支持脚部５Ａとして図示してある。図７（Ａ）は、収納袋１、１Ａ、１Ｂ、１Ｃ、１Ｄを取り外した後に、折り畳んだ時の一例を示す平面図で、図７（Ｂ）は作業時に支持脚部５Ａが開かれたときの正面図、図７（Ｃ）は、支持脚部５Ａを閉じる方向にして折り畳んだ際の短手方向からの側面図を示している。なお、作業台１００の折り畳みは、収納袋１，１Ａ、１Ｂ、１Ｃ、１Ｄが取り付けられた状態では、支持脚部５Ａは止めネジ部１１の部分が近づく方向（＝閉じ方向）に動くことで折り畳まれる。
【００５０】
載置台３は、作業時には図１で示してあるように、先端は下方垂直方向を向くようになっているが、作業終了後の折りたたんだときは回転アーム４や支持脚部５と一体になって平面状となるように構成されている。また、図７（Ａ）では、回転アーム４は脚開閉軸部６を中心に両翼に開いたように図示してあるが、内側に折りたたむようにして平面状とすることもできる。なお、図７（Ｃ）は、載置台３や回転アーム４（図示せず）や支持脚部５Ａを長手方向に対して垂直方向となるように折りたたんだ例を示すものであって、この例では、他の例と異なり向かい合う支持脚５ａ同士を連結するようにして支持脚補強軸５ｂが設けられている。このように、支持脚補強軸５ｂを設けることにより、作業時に作業台上部からの加わる圧力が大きくても、支持脚部５の変形を防止することを可能とすることができる。
【００５１】
図７（Ｂ）に示すように、支持脚５ａの止めネジ部１１は、止めネジ穴１１ｂが設けられており、支持脚５ａは空洞となっていて、この空洞には位置調節挿入部材１０ａが挿入される。支持脚５ａの止めネジ部１１の止めネジ穴１１ｂと、位置調節挿入部材１０ａの止め穴１０ｂとは同じ位置で通じるようにされている。このネジ穴１１ｂ，１０ｂには、例えば金属製のボルトおよびナットが挿入されて作業台１００（図示せず）の高さの位置決めや、固定がされるようになっている。なお、位置調節挿入部材１０ａは、支持脚５ａの空洞に挿入されるように図示してあるが、位置調節挿入部材１０ａに空洞を設けて、支持脚５ａを位置調節挿入部材１０ａ内に挿入するようにしても良い。
【００５２】
図７（Ｃ）では、分かりやすくするために回転アーム４の図示を省略してある。一方、この図７（Ｃ）では、載置台３の水平腕部３ａから挿入保持部３ｂにかけて、さらに挿入状況を規制する凹部係止具３ａ２には、金属の地肌が出て被処理材を傷つけないようにするため、防庇材３ａ３が巻き付けられている。この防庇材３ａ３は、例えばゴムやウレタンフォームのように軟質で被処理材を傷つけないものを用いるのが好ましい。また、挿入保持部３ｂには複数の挿入穴３ａ４が設けられており、凹部係止具３ａ２の位置を変更することができるようになっている。
【００５３】
図８は、支持脚部のさらに他の例を示す支持脚部５Ｂを示す部分斜視図である。この支持脚部５Ｂが、上述の支持脚部５，５Ａと異なるのは位置調節挿入部材１０ａをＬ字形状として、先端側を接地部９ａとしたことである。この接地部９ａは、位置調節挿入部材１０ａを単純に折り曲げたＬ字形状としても良いし、接地部分の面積を大きくするため先端側を平板状にしたＬ字形状としても良い。さらには、接地先端側に移動しやすいように停止機能のついたコロを付けるようにしても良い。
【００５４】
本作業台１００の骨格となる部分は、円柱状の部材を用いるように図示してあるが、円形のパイプ状のものを用いても良いし、角柱状あるいは角パイプ状のものも用いることができる。さらに、骨格となる部分が金属である場合は、強度や耐食性などからステンレススチールを用いるのが好ましいが、鉄材でも塗装をすることによって採用可能である。また、軽量化を必要とする場合は、アルミニュウム合金（例えばジュラルミン）、ガラス繊維またはカーボン繊維入りの強化プラスチックスを用いることもできる。収納袋１、１Ａ、１Ｂ、１Ｃ、１Ｄは、ナイロン製の布を用いるのが好ましい。また、シート状をしたビニルやポリエチレン等のプラスチックスを用いたり、掃除がし易いように内面に例えばシリコン樹脂をコーティングやライニングした他の布製のものを用いたりすることもできる。また、底部１ａ、側面部１ｂなどの継ぎ目部分にはファスナーを設けたり、あるいは板状のプラスチックス等を用いて組み立て式に構成したりすることも可能である。なお、回転アーム４と収納袋１だけを他の機材等に取り付けて用いることも可能である。また、係留に用いる部材では、マジックテープ（登録商標）を用いて説明してきたが、他にボタンやフックや紐など必要に応じ任意に選択、使用することが可能である。
【００５５】
なお、本発明の各構成は、本明細書に記載の実施の形態の他、適宜種々組み合わせが可能であり、よって本明細書記載の実施の形態のみに限定されるものではない。例えば、収納容器２を底部１ａに有するものを示したが、収納容器２は、複数設けても良い。また、収納容器２を設けず、底部１ａの中央にゴミなどを収集し、手で取り出したりしても良い。
【００５６】
また、収納袋１Ａ、１Ｂ、１Ｃでは、側面部１ｂの中央付近を両端部より幅狭にして、支持脚部５の動作をしやすくするとともに、収納袋１Ａ、１Ｂ、１Ｃの取り付け、取り外しを容易にしているが、収納袋１Ｄのように、すべてを幅狭としても良い。また、収納袋１Ｄには、収納係留部材１２が設置してないが、側面部１ｂの上端などに収納袋係留部材１２を設けるようにしても良い。さらに、収納袋１Ｃにおける切り欠き部１ｆとその周辺の構造は、収納袋１Ａ、１Ｂ、１Ｄにも適用できる。
【図面の簡単な説明】
【００５７】
【図１】本発明の実施の形態に係る作業台の作業状態を示す斜視図である。
【図２】図１に示す作業台に用いる収納袋を示す斜視図である。
【図３】本発明の作業台に用いる収納袋の第１変形例を示す斜視図である。
【図４】本発明の作業台に用いる収納袋の第２変形例を示す斜視図である。
【図５】本発明の作業台に用いる収納袋の第３変形例を示す図で、（Ａ）は収納袋の斜視図、（Ｂ）はＸ−Ｘ’で切断した断面図で、（Ｃ）は短い側の端部から見た側面図で、（Ｄ）は切り欠き部の組み付け時の部分斜視図で、（Ｅ）は折り返し部を示す部分斜視図である。
【図６】本発明の作業台に用いる収納袋の第４の変形例を示す図で、（Ａ）は、作業台とともに示す平面図、（Ｂ）は正面図である。
【図７】本発明に用いる作業台中の支持脚部の他の例の骨格を示す図で、（Ａ）は開く方向に折り畳んだ状態の平面図で、（Ｂ）は作業状態の正面図で、（Ｃ）は閉じる方向に折り畳んだ状態の側面図である。
【図８】本発明の作業台に用いる支持脚部のさらに他の例を示す図である。
【符号の説明】
【００５８】
１００                              作業台
１、１Ａ，１Ｂ，１Ｃ，１Ｄ          収納袋
１ｃ、１ｃ３、１ｃ４                側面空隙部
１ｄ                                縫い目部
１ｆ                                切り欠き部
３                                  載置台
４                                  回転アーム
５，５Ａ，５Ｂ                      支持脚部
１２                                収納袋係留部材
１２ｃ                              巻き付け部材
１２ｄ                              切り欠き補強部材
【図１】
2009006042.tif 000003
【図２】
2009006042.tif 000004
【図３】
2009006042.tif 000005
【図４】
2009006042.tif 000006
【図５】
2009006042.tif 000007
【図６】
2009006042.tif 000008
【図７】
2009006042.tif 000009
【図８】
2009006042.tif 000010